(57)【要約】      （修正有）【課題】発注者がインターネット等の通信を利用して、発注者の好みに合ったオーダーメードの釣竿を自宅から発注できるように工夫した釣竿受注システム及び釣竿受注方法並びにその記録媒体を提供する。【解決手段】釣竿に使用可能な複数種類のパーツを表示するパーツ表示手段３７と、これらのパーツから希望するパーツを選択可能な選択手段３８と、仮想釣竿を表示する仮想釣竿表示手段３９と、選択されたパーツを前記仮想釣竿上の希望する位置に配置可能にするパーツ配置手段４０と、選択手段により選択されたパーツの種類とパーツ配置手段によって各パーツが配置された仮想釣竿上の位置を送信する送信手段４２、各パーツが配置された仮想釣竿に複数種類から選択した仮想錘負荷をかけて、錘負荷の軽重に応じた釣竿の曲がり具合を確認する仮想完成品シミュレーション手段４１、パーツの種類に応じた価格を発注者側端末に表示させる価格表示手段を含む。【選択図】図６
2007079757.tif 000002
【特許請求の範囲】
【請求項１】
釣竿に使用可能な複数種類のパーツを表示するパーツ表示手段と、これらのパーツから希望するパーツを選択可能な選択手段と、仮想釣竿を表示する仮想釣竿表示手段と、選択されたパーツを前記仮想釣竿上の希望する位置に配置可能にするパーツ配置手段と、選択手段により選択されたパーツの種類とパーツ配置手段によって各パーツが配置された仮想釣竿上の位置を送信する送信手段とを備えたことを特徴とする釣竿受注システム。
【請求項２】
各パーツが配置された仮想釣竿に複数種類から選択した仮想錘負荷をかけて、錘負荷の軽重に応じた釣竿の曲がり具合を確認する仮想完成品シミュレーション手段を備えたことを特徴とする請求項１記載の釣竿受注システム。
【請求項３】
パーツの種類に応じた価格を演算して発注者側端末に表示させる完成品釣竿の価格表示手段を備えたことを特徴とする請求項１又は２記載の釣竿受注システム。
【請求項４】
釣竿に使用可能な複数種類のパーツを表示するパーツ表示ステップと、これらのパーツから希望するパーツを選択するパーツ選択ステップと、仮想釣竿を表示する仮想釣竿表示ステップと、選択されたパーツを前記仮想釣竿上の希望する位置に配置可能にするパーツ配置ステップと、パーツ選択ステップにおいて選択されたパーツの種類とパーツ配置ステップによって各パーツが配置された仮想釣竿上の位置を送信する送信ステップを含むことを特徴とする釣竿受注方法。
【請求項５】
各パーツが配置された仮想釣竿に複数種類から選択した仮想錘負荷をかけて、錘負荷の軽重に応じた釣竿の曲がり具合を確認する仮想完成品シミュレーションステップを含むことを特徴とする請求項４記載の釣竿受注方法。
【請求項６】
パーツの種類に応じた価格を演算して発注者側端末に表示させる完成品釣竿の価格表示ステップを含むことを特徴とする請求項４又は５記載の釣竿受注方法。
【請求項７】
釣竿に使用可能な複数種類のパーツを表示するパーツ表示命令と、これらのパーツから希望するパーツを選択するパーツ選択命令と、仮想釣竿を表示する仮想釣竿表示命令と、選択されたパーツを前記仮想釣竿上の希望する位置に配置可能にするパーツ配置命令と、パーツ選択命令において選択されたパーツの種類とパーツ配置命令によって各パーツが配置された仮想釣竿上の位置を送信する送信命令を含むことを特徴とする釣竿受注方法をコンピュータに実行させるソフトウェアが記録された読み取り可能な記録媒体。
【請求項８】
各パーツが配置された仮想釣竿に複数種類から選択した仮想錘負荷をかけて、錘負荷の軽重に応じた釣竿の曲がり具合を確認する仮想完成品シミュレーション命令を含むことを特徴とする請求項７記載の釣竿受注方法をコンピュータに実行させるソフトウェアが記録された読み取り可能な記録媒体。
【請求項９】
パーツの種類に応じた価格を演算して発注者側端末に表示させる完成品釣竿の価格表示命令を含むことを特徴とする請求項７又は８記載の釣竿受注方法をコンピュータに実行させるソフトウェアが記録された読み取り可能な記録媒体。
【発明の詳細な説明】
【技術分野】
【０００１】
本発明は、発注者が希望する釣竿を発注（受注）するシステムに関し、具体的には、発注者がインターネット等の通信を利用して、釣竿におけるガイド、前グリップ、飾り巻、ガイド巻、ネーム、バット等パーツの色や位置、型式、材質等をその好みに応じて選択できるようにした釣竿受注システム及び釣竿の受注方法並びにその方法をコンピュータに実行させるソフトウェアが記録された読み取り可能な記録媒体に関する。
【背景技術】
【０００２】
元来、釣竿は、釣具店などに展示されている既製品から発注者が好みに合った釣竿を自由に選んで購入するものであった。このような釣具店での既製品では発注者の好みにあった釣竿がない場合や好みに合った釣竿が品切れの場合には購入ができないと言った問題があった。また、近年消費者の嗜好も複雑化・多様化し、他人が所有しているものと同じ商品では満足できず、他人とは異なる自分独自の商品、いわゆる一品ものの購入を希望する消費者が増加してきている。
【０００３】
このような消費者の好みに応えるため、発注者の好みに合せたオーダーメードの釣竿の販売システムもあるにはあるが、このようなオーダーメードのシステムの場合には、購入希望者がオーダー可能な釣具店に出向いて依頼するか、電話・ファックス等通信手段を利用して直に若しくは地元の釣具店を中継店としてメーカーに依頼するか、するようになっている。
【０００４】
しかしながら、釣具店に出向くオーダーメードのシステムでは、購入希望者が釣具店に出向く必要があり、釣具店から遠い購入希望者にとっては、面倒で且つ時間もかかるという問題があった。さらに、このオーダーメードにおいては、ガイド、前グリップなどの各パーツはそれぞれ選択可能であるが、そのパーツの位置は予め定められているか、釣具店が選択したパーツの組み合わせに応じて適当な位置に設定するようになっており、ガイド、前グリップなどの各パーツの位置までは発注者が決定できるようになっていない。
【０００５】
他方、電話・ファックスや中継店を利用するシステムでは、聞き違いや記入ミス等から間違った製品ができてしまうトラブルや、価格をその都度メーカーに確認する煩わしさがあり、時にはメーカーからサンプルを送って確認する煩わしさがある等の問題があるのみならずメーカーにあっては、サンプルの送付費用がかかる、サンプルが返却されないままになってしまう等の経済的問題があった。
【特許文献１】なお、本願出願人は、釣竿に特化して受注システムについて先行技術を調査したが、関連する先行技術文献を見出すことができなかった。
【発明の開示】
【発明が解決しようとする課題】
【０００６】
そこで、本発明の目的とするところは、インターネット等ネットワーク、その他電気通信回線を用いることで発注者が自宅等から手軽にオーダーメードの釣竿を購入可能にする釣竿受注システム及び釣竿の受注方法並びに当該受注を実行するための命令用記録媒体の提供、発注者が希望するブランク、ガイド、前グリップなどの各パーツを選択可能にする釣竿受注システム及び釣竿の受注方法並びに当該受注を実行するための命令用記録媒体の提供、発注者が自宅等から手軽にシミュレーションしてから釣竿を購入可能にする釣竿受注システム及び釣竿の受注方法並びに当該受注を実行するための命令用記録媒体の提供、発注者が自宅等から手軽にオーダーメードの釣竿の価格を確認して釣竿を購入可能にする釣竿受注システム及び釣竿の受注方法並びに当該受注を実行するための命令用記録媒体の提供であり、前記諸問題点を解決することである。
【課題を解決するための手段】
【０００７】
このような目的を達成するために、請求項１、４又は７は、 釣竿に使用可能な複数種類のパーツを表示するパーツ表示手段と、これらのパーツから希望するパーツを選択可能な選択手段と、仮想釣竿を表示する仮想釣竿表示手段と、選択されたパーツを前記仮想釣竿上の希望する位置に配置可能にするパーツ配置手段と、選択手段により選択されたパーツの種類とパーツ配置手段によって各パーツが配置された仮想釣竿上の位置を送信する送信手段とを含むことを特徴とする。
【０００８】
したがって、発注者が、自宅等に設置されているパーソナルコンピュータ（発注者側端末）をインターネット等ネットワーク、その他電気通信回線に接続して用いることで、自宅等から手軽にオーダーメードの釣竿を購入でき、前記諸問題を解決できる。
【０００９】
請求項２、５又は８は、各パーツが配置された仮想釣竿に複数種類から選択した仮想錘負荷をかけて、錘負荷の軽重に応じた釣竿の曲がり具合を確認する仮想完成品シミュレーション手段を含むことを特徴とする。
【００１０】
したがって、発注者は、完成品を頭の中で創造するのではなく、視覚的に捉えることができ、より自分の好みに合った釣竿を発注できるようになるのみならず聞き違いや記入ミス等から生じていた間違った製品ができてしまうようなトラブルやメーカーからサンプルを取り寄せて確認する煩わしさ等を回避できる。また、メーカーにあってはサンプルの送付費用がかかる、サンプルが返却されないままになってしまうというような経済的問題が回避できる。
【００１１】
請求項３、６又は９は、パーツの種類に応じた価格を演算して発注者側端末に表示させるパーツの単価及び完成品釣竿の価格表示手段を含むことを特徴とする。
【００１２】
したがって、発注者は、パーツの単価及び完成品の価格をその都度メーカーに問い合わせたり、カタログを見たりせずに、画面中の表示部で確認しながら自分で見積ることができ、その煩わしさから開放され、発注に要する時間も短縮できる。
【発明の効果】
【００１３】
本発明の請求項１、４又は７によれば、発注者が、自宅等に設置されているパーソナルコンピュータ（発注者側端末）をインターネット等ネットワーク、その他電気通信回線に接続して用いることで、自宅等から手軽にオーダーメードの釣竿を購入でき、前記諸問題を解決できる。
【００１４】
また、請求項２、５又は８によれば、発注者は、完成品を頭の中で創造するのではなく、視覚的に捉えることができ、より自分の好みに合った釣竿を発注できるようになるのみならず聞き違いや記入ミス等から生じていた間違った製品ができてしまうようなトラブルやメーカーからサンプルを取り寄せて確認する煩わしさ等を回避できる。また、メーカーにあってはサンプルの送付費用がかかる、サンプルが返却されないままになってしまうというような経済的問題が回避できる。
【００１５】
さらに、請求項３、６又は９によれば、発注者は、パーツの単価及び完成品の価格をその都度メーカーに問い合わせたり、カタログを見たりせずに、画面中の表示部で確認しながら自分で見積ることができ、その煩わしさから開放され、発注に要する時間も短縮できる。
【発明を実施するための最良の形態】
【００１６】
以下、本発明の実施の形態を図面に基づき説明する。具体的には、図１に示すような完成品１を一例として、すなわち、ブランク２、バット３、後グリップ４、前グリップ５、リールシート６、飾り巻７、ガイド８、ガイド巻９及びネーム１０を備えている完成品１の場合について説明する。なお、この説明は、釣竿の一例として最もオーソドックスな形態をもとに説明しているが、本発明は、この種の釣竿（完成品）に限定されるものではない。
【００１７】
図２は、本発明を実施するための通信網、制御機器の概略を示す図であって、釣竿の発注者は、自宅等に設置されているパーソナルコンピュータ（発注者側端末）１２をモデム（若しくはターミナルアダプタ）１３を介してインターネット１４に接続する。パーソナルコンピュータ１２は、各種の表示を行うモニタ１５と、文字を入力するキーボード１６と、画面上のアイコン等をクリック、ドラッグ、ドロップの操作が可能なマウス（ポインティングデバイス）１７とが接続されている。一方、モデム（若しくはターミナルアダプタ）１８を介してインターネット１４に接続されたサーバコンピュータ（受注者側端末）１９は、釣竿受注システムにおいて発注者の注文を受け付ける窓口となる。なお、発注者側端末は、モバイルその他携帯情報端末、携帯電話等で対応しうるようにすることができる。
【００１８】
前記サーバコンピュータ１９には、後述する発注者から送られてくる各種データを保存する受信データ保存ＤＢ（データベース）２０が接続されている。また、サーバコンピュータ１９及び受信データ保存ＤＢ２０は受注内容印刷手段２１に接続され、発注者が選択した釣竿及びそのパーツの発注内容（すなわち受注内容）を印刷（出力）できるようになっている。
【００１９】
次に、発注者が行う一連の流れを、図３に示すフローチャートと、サーバコンピュータ１９からインターネット１４を介して信号を送ることで発注者のパーソナルコンピュータ１２の画面に表示される図４及び図５のような画面とを参照して説明する。
【００２０】
オーダーメードの独自の釣竿の購入を希望する発注者は、パーソナルコンピュータ１２を用い、インターネット１３を介してサーバコンピュータ１９に接続する。接続がなされ、釣竿の発注ページに至ると最初に釣竿のブランク（竿の素材）の表示データがサーバコンピュータ１９から発注者のパーソナルコンピュータ１２に送られる。このデータに基づきパーソナルコンピュータ１２のモニタ１５に釣竿のブランク（竿の素材）２の選択画面が表示される。なお、このブランク２の選択画面は、図４に示すガイド８の選択画面と基本的には同様の表示形態にされているので、その図示を省略する。
【００２１】
ここでは、発注者が好みの釣竿のブランク（竿の素材）を選択する（図３のステップＳ１）。この選択はパーソナルコンピュータ１２のマウス１７を用いてモニタ１５上に表示されるブランクの見本であるブランク画像の一つをクリックすることで選択される。このブランクの選択画面では、素材の選択、長さの選択、塗装色の選択、ツートーン塗装の要・不要、グラデーション塗装の要・不要、総糸巻きの要・不要、ラメコートの要・不要等を選択するための画面となっている。ここで、発注者がブランク（竿の素材）への塗色等位置の選択（図３のステップＳ２、ステップＳ３）及び前記要・不要の選択要・不要等を選択する（図３のステップＳ４）。この画面ではカラーチャートから希望する色の選択を行えるようにすることが望ましい。
【００２２】
このブランク（竿の素材）の選択、すなわち発注者がブランクの選択、希望する塗装の色の選択、各種仕上の要・不要選択をクリックすると、選択されたデータがパーソナルコンピュータ１２からサーバコンピュータ１９に送られる。送られてきたデータは、サーバコンピュータ１９を経由して受信データ保存ＤＢ２０に保存される。
【００２３】
また、前記ブランクの選択画面には、ブランクの選択、希望する塗装の色の選択、各種仕上の要・不要選択の各選択情報に応じたブランクの仕上価格等を表示するようにされている。
【００２４】
次いで、図３のステップＳ５以下においてバット、グリップ、ガイド等の種類の選択等が行われる。
【００２５】
ここでは、サーバコンピュータ１９は、選択された色、仕上のデータを受け取ると続いて複数種類のバット、複数種類の後グリップ、複数種類の前グリップ、複数種類のリールシート、複数種類の飾り巻、複数種類のガイド、複数種類のガイド巻及び複数種類のネーム等のパーツを表示するパーツ表示画面のデータを発注者の任意な選択の順でパーソナルコンピュータ１２へ送信される。
【００２６】
パーソナルコンピュータ１２は、パーツ表示画面データを受け取るとモニタ１５に図４に示すようなパーツ表示画面２３が表示される。なお、この図４に示すパーツ表示画面２３は、複数種類のガイド８・・・について示しているものである。
【００２７】
前記パーツ表示画面２３は、上部には前記のブランク（竿の素材）の選択、希望する塗装の色の選択、各種仕上の要・不要選択で選択され且つバット３、後グリップ４、前グリップ５、リールシート６、飾り巻７が既に選択された仮想半製品釣竿２４が表示された半製品表示部２５aが設けられ、下部にはパーツであるガイド８・・・が表示されたパーツ表示部２５bが設けられている。なお、パーツ表示部２５bの下方個所に設けてあるブランク２、バット３、後グリップ４、前グリップ５、リールシート６、飾り巻７、ガイド８、ガイド巻９及びネーム１０の選択ボタン２６をクリックすることで任意に、ブランク２の選択画面、バット３の選択画面、後グリップ４の選択画面、前グリップ５の選択画面、リールシート６の選択画面、飾り巻７の選択画面、ガイド８の選択画面、ガイド巻９の選択画面及びネーム１０の選択画面に切り変わるようになっている。これら各パーツ表示画面は、前記ガイド８・・・と表示数が異なる等の違いがあるだけで基本的には同じ構成であるので図示及び説明を省略する。
【００２８】
これら各パーツ表示画面においては、図３のステップＳ５のバットの種類の選択からステップＳ２１のネームの位置の選択までの１６ステップが行われる。
【００２９】
すなわち、ガイドの種類選択は、ガイドの選択画面において、当該画面に表示されている何種類かのガイド８から発注者が希望するタイプのガイド８を選択することで行われる。実際にはステップＳ１５のガイドの種類選択とステップ１６のガイドの位置選択とは同時に行われる。すなわち、発注者はモニタ１５画面上のパーツ表示部２５bの中から希望するガイド８の１つを選択し、そのガイド８をマウス４によりクリックし、その後、上部にある仮想半製品釣竿２４上の希望する位置までドラッグしてドロップすることでドロップされた位置に選択されたガイド８が配置される。
【００３０】
なお、バット３、後グリップ４、前グリップ５、リールシート６、飾り巻７、ガイド巻９及びネーム１０も前記ガイドと同様に種類の選択後は仮想半製品釣竿２４上にドラッグ、ドロップ（配置）することでドロップされた位置に配置される。
【００３１】
以上のモニタ１５上の一連の表示動作は、予めサーバコンピュータ１９から送信されてくるパーツ表示画面データに含まれている。すなわち、サーバコンピュータ１９から送られるパーツ表示画面データは画面表示のデータだけでなく、その後の一連の表示動作処理を実行するプログラムデータも同時に送信されている。したがって、この一連の表示動作はパーソナルコンピュータ１２側ですべてが処理されるため、各パーツを選択及び配置される度にデータをサーバコンピュータ１９に送信することがなく、その間の処理速度を上げることができ、発注者側での待ち時間を無くするようにされている。
【００３２】
さらに、前記のバット３の選択画面、後グリップ４の選択画面、前グリップ５の選択画面、リールシート６の選択画面、飾り巻７の選択画面、ガイド巻９の選択画面及びネーム１０の選択画面には、各選択情報に応じた部品単価及び前記ブランクの仕上価格を含む完成品価格の表示部２２a、２２bに表示するようにされている。
【００３３】
前記パーツの選択が完了した後は、前記各選択画面の右下の設けられた選択完了ボタン２７をクリックするようにされている。この選択完了ボタン２７をクリックすると図５のシミュレーション画面２８に変わる。
【００３４】
このシミュレーション画面２８には、発注者により選択されたパーツ付き仮想完成品釣竿２９の表示部３０と、重さが異なる多種類の錘負荷の選択ボタン３１・・・と、製品番号、パーツの内訳及びその単価等の表示欄３２と、製品価格（見積）の表示部３３と、発注ボタン３４を表示するようにされている。
【００３５】
すなわち、このシミュレーション画面２８では、発注者が選択したパーツを備えた仮想完成品釣竿２９が、当該仮想完成品釣竿２９の表示部３０の下方個所に設けてある複数種類の錘負荷の選択ボタン３１の選択クリックにより錘負荷の軽重に応じた釣竿の曲がり具合を表現されるようになっている。
【００３６】
なお、本発明は、ガイド等パーツの選択の合間に、いつでも錘負荷の軽重に応じた釣竿の曲がり具合を適宜確認しうるようにすることで実施してもよい。
【００３７】
結局、発注者側は、シミュレーション画面２８による釣竿の曲がり具合の確認ができ、しかも製品番号、パーツの内訳及びその単価等の表示欄３２及び製品価格（見積）の表示部３３による予算の確認をしながら安心してオーダーメイドの釣竿を発注することができるようにされている。
【００３８】
以上の一連のブランク、バット、クリップ、飾り巻、ガイド、ガイド巻、ネームのパーツ選択及びそれぞれの位置選択がすべて終了した時点で、パーソナルコンピュータ１２からサーバコンピュータ１９に選択された各パーツのタイプとそれぞれの位置、価格及び釣竿の曲がり具合を示す行列データが送られる。サーバコンピュータ１９はこのデータを受け取って受信データ保存ＤＢ２０に保存すると共に、最終的にブランク、ガイド等パーツが選択・配置された仮想完成品釣竿がもつ釣竿全体を表わす最終確認画面データをパーソナルコンピュータ１２に送信する。
【００３９】
このデータを受けてパーソナルコンピュータ１２は、釣竿全体の画像をモニタ１５に表示する（図３中のステップＳ２１）。発注者がこの画像を確認し、確認ボタン３５をマウス１７を用いてクリックするとパーソナルコンピュータ１２からサーバコンピュータ１９へ発注完了信号が送信される。サーバコンピュータ１９はこの発注確認信号を受け取ると、選択された各パーツのタイプとそれぞれの位置、価格等を示す行列データを確定データとして受信データ保存ＤＢ２０に保存する。
【００４０】
その後、受注者は、この確定データを受注内容印刷手段２１を用いて釣竿のパーツの印刷を行なう。受注者は、これらパーツを用いて釣竿を作成し、作成された釣竿を発注者に発送することで発注者の希望するオーダーメードの釣竿を提供することができる。
【００４１】
以上の実施例においては、各パーツの選択、配置及び選択配置に基づく画面表示動作はパーソナルコンピュータ１２側で処理されるように構成したが、サーバコンピュータ１９とパーソナルコンピュータ１２間の通信速度が速ければ待ち時間はそれ程問題とならないため、各パーツを選択・配置される度にサーバコンピュータ１９側で処理し、新たな表示画面を構成し、これをサーバコンピュータ１９から随時送るようにしても良い。
【００４２】
以上、本発明の実施の形態について説明したが、この実施の形態の動作を、図６の機能ブロック図を用いて説明する。パーツ表示手段３７は、モニタ１５上に釣竿に使用する複数種類のグリップ、ガイド等のパーツを選択されたときに表示する。選択手段３８は、マウス１７等からなり、モニタ１５の画面上に表示されるパーツから希望するパーツを選択できるようにする。仮想釣竿表示手段３９は、モニタ１５上に釣竿の仮想釣竿を表示するもので、パーツ配置手段４０は、マウス１７等を用いてモニタ１５に表示された仮想釣竿上の所望の位置に選択されたパーツを配置可能とするものである。シミュレーション手段４１はモニタ１５上に釣竿の仮想釣竿の仕上がり状況を表示するもので、送信手段４２は、選択手段３８によって選択されたパーツとパーツ配置手段４０によって配置されたパーツの仮想釣竿上の位置をサーバコンピュータ１９に向けて送信するものである。
【００４３】
ここで、本実施の形態に係る制御動作をステップで表すと、図７のようになる。まず、サーバコンピュータ１９から送信されてきたデータに基づき釣竿に使用可能な複数種類のグリップ、ガイド等のパーツをモニタ１５に表示するパーツ表示ステップＳ２２、これらのパーツからマウス１７を使用して希望するパーツを選択するパーツ選択ステップＳ２３、サーバコンピュータ１９から送信されてきたデータに基づき仮想釣竿をモニタ１５に表示する仮想釣竿表示ステップＳ２４と、選択されたパーツをマウス１７を使用してモニタ１５画面上の仮想釣竿上の希望する位置に配置可能にするパーツ配置ステップＳ２５、パーツ選択ステップＳ２３において選択されたパーツの種類とパーツ配置ステップＳ２５によって各パーツが配置された仮想釣竿上の位置をシミュレーションステップＳ２６の後にサーバ１９に送信する送信ステップＳ２７からなり、各ステップは予めサーバ１９に設定された画面データを含むプログラムとパーソナルコンピュータ１２が本来保有するプログラム及びサーバコンピュータ１９からパーソナルコンピュータ１２に送信されてくる動作プログラムによって制御される。
【００４４】
以上、本実施の形態例においては、釣竿に用いられるパーツの種類、位置について選択可能としたが、さらに選択種類のパターンを多くしてもよい。また、本発明にあっては、形状、材料、材質等を選択可能に構成して発注者が各パーツの質感を把握できるようにしても良い。
【図面の簡単な説明】
【００４５】
【図１】オーダーメードされた製品を示す斜視図である。
【図２】システム構成を示すブロック図である。
【図３】釣竿作成の流れを示す概略フローチャートである。
【図４】パーツ及びその位置を選択する画面の表示例である。
【図５】最終確認画面の表示例である。
【図６】システムの動作を説明するための機能ブロック図である。
【図７】システムの動作を説明するための制御フローチャートである。
【符号の説明】
【００４６】
１  完成品
２  ブランク
３  バット
４  後グリップ
５  前グリップ
６  リールシート
７  飾り巻
８  ガイド
９  ガイド巻
１０  ネーム
１２  パーソナルコンピュータ
１３  モデム
１４  インターネット
１５  モニタ
１６  キーボード
１７  マウス
１８  モデム
１９  サーバコンピュータ
２０  受信データ保存ＤＢ
２１  受注内容印刷手段
２２a  部品単価表示部
２２b  完成品価格の表示部
２３  パーツ表示画面
２４  仮想半製品釣竿
２５a  仮想半製品釣竿表示部
２５b  パーツ表示部
２６  パーツの選択ボタン
２７  選択完了ボタン
２８  シミュレーション画面
２９  仮想完成品釣竿
３０  表示部
３１  錘負荷の選択ボタン
３２  単価の表示欄
３３  製品価格（見積）の表示部
３４  発注ボタン
３５  確認ボタン
３７  パーツ表示手段
３８  選択手段
３９  仮想釣竿表示手段
４０  パーツ配置手段
４１  シミュレーション手段
４２  送信手段
【図１】
2007079757.tif 000003
【図２】
2007079757.tif 000004
【図３】
2007079757.tif 000005
【図４】
2007079757.tif 000006
【図５】
2007079757.tif 000007
【図６】
2007079757.tif 000008
【図７】
2007079757.tif 000009